(57)【要約】【課題】点検口の前方に障害物等があっても、容易かつ良好に点検口に対し、点検口蓋を取り付け，取り外すことのできる点検口蓋の取付構造を提供する。【解決手段】浴室内に開口された点検口５に点検口蓋６を取り付ける構造であって、点検口５内の下部部位には、内側へ突出する突起７，７を設けるとともに、点検口蓋６の下部部位には、突起７に対し落とし込み状に掛止可能な掛止部材９を設け、突起７，７に掛止部材９，９を掛止させた状態で、突起７，７を支点として点検口蓋６の上部を点検口５側へ回転させ、挟持部材１１に対し差込部材１２を係合させて、点検口蓋６を点検口５に取り付ける。【選択図】                図２
2004150215.tif 000002
【特許請求の範囲】
【請求項１】
浴室内に開口された点検口に着脱可能に点検口蓋を取り付ける取付構造であって、前記点検口内の下部部位には、内側へ突出する突起を設けるとともに、前記点検口蓋の下部部位には、前記突起に対し落とし込み状に掛止可能な掛止部を設け、前記突起に前記掛止部を掛止させた状態で、前記突起を支点として、前記点検口蓋の上部を点検口側へ回動させて係合固定できるように構成したことを特徴とする点検口蓋の取付構造。
【請求項２】
前記点検口の上部部位には、弾性を有する挟持部材を設けるとともに、前記点検口蓋の上部部位には、前記挟持部材に着脱可能に挟持される差込部材を設け、該差込部材には、前記挟持部材に挟持された状態で、該挟持部材の一部が係合する係合孔が形成されていることを特徴とする請求項１に記載の点検口蓋の取付構造。
【請求項３】
前記掛止部が、点検口蓋の裏側に取り付けられた弾性を有する掛止部材で構成されていることを特徴とする請求項１または請求項２に記載の点検口蓋の取付構造。
【請求項４】
前記突起の先端に拡径部を形成し、該拡径部が点検口蓋の裏面に当接して、点検口蓋の点検口奥側への移動を止めるように構成したことを特徴とする請求項１または請求項３に記載の点検口蓋の取付構造。
【請求項５】
前記掛止部材，挟持部材，差込部材は、点検口または点検口蓋にボス部を設け、該ボス部にビスで固定されることを特徴とする請求項２または請求項３に記載の点検口蓋の取付構造。
【発明の詳細な説明】
【０００１】
【発明の属する技術分野】
この発明は、浴室内の点検口に、着脱可能に点検口蓋を取り付ける取付構造に関するものである。
【０００２】
【従来の技術】
従来、浴室内に開口された点検口に着脱可能に取り付けられる点検口蓋は、ビス固定で取り付けられる場合が多い。
また、落とし込み状に点検口蓋を係合させて取り付ける構造のものが存在する（例えば、特許文献１参照。）。
【０００３】
【特許文献１】
特開平１１−２６４２５８号公報
【０００４】
【発明が解決しようとする課題】
従来のビス固定で取り付けられた点検口蓋の場合は、点検口蓋の取り付け，取り外しに手間が掛かり、また手前に障害物がある場合には、取り付け，取り外し作業がし難くなるという問題点があった。
なお、落とし込み状に点検口蓋を係合させて取り付ける構造のものは、構造が複雑化してしまうという問題点があった。
【０００５】
【課題を解決するための手段】
本発明は、上記従来の問題点に鑑み案出したものであって、取り付け，取り外しが容易で、手前に障害物があっても、容易に作業できる点検口蓋の取付構造を提供せんことを目的とし、その第１の要旨は、浴室内に開口された点検口に着脱可能に点検口蓋を取り付ける取付構造であって、前記点検口内の下部部位には、内側へ突出する突起を設けるとともに、前記点検口蓋の下部部位には、前記突起に対し落とし込み状に掛止可能な掛止部を設け、前記突起に前記掛止部を掛止させた状態で、前記突起を支点として、前記点検口蓋の上部を点検口側へ回動させて係合固定できるように構成したことである。
【０００６】
また、第２の要旨は、前記点検口の上部部位には、弾性を有する挟持部材を設けるとともに、前記点検口蓋の上部部位には、前記挟持部材に着脱可能に挟持される差込部材を設け、該差込部材には、前記挟持部材に挟持された状態で、該挟持部材の一部が係合する係合孔が形成されていることである。
【０００７】
また、第３の要旨は、前記掛止部が点検口蓋の裏側に取り付けられた弾性を有する掛止部材で構成されていることである。
また、第４の要旨は、前記突起の先端に拡径部を形成し、該拡径部が点検口蓋の裏面に当接して、点検口蓋の点検口奥側への移動を止めるように構成したことである。
また、第５の要旨は、前記掛止部，挟持部材，差込部材は、点検口または点検口蓋にボス部を設け、該ボス部にビスで固定されることである。
【０００８】
【発明の実施の形態】
以下、本発明の実施例を図面に基づいて説明する。
図１は、浴室内の要部の斜視構成図であり、浴室１内の浴槽２の近傍には、水栓４を備えたカウンター３が設けられ、この下方に点検口５が開口されており、点検口５には着脱可能に点検口蓋６が取り付けられている。
【０００９】
図２には、点検口蓋６を取り外した状態の要部拡大斜視構成図を示しており、点検口５の上部には、当たり止め部５ａが内側へ突出して形成されており、点検口５の上端の中央部には、挟持部材１１がビスで取り付けられている。
また、点検口５の下部部位には、左右側から一対の突起７，７が内側へ向かって対向状に突出されており、それぞれの突起７の先端には、径の拡大した拡径部７ａが形成されている。
一方、点検口蓋６の裏側には、上部にボス部６ａが一体状に突出形成されており、また下部の左右側には、それぞれ上下に２個のボス部６ｂ，６ｂが一体状に突出形成されている。このボス部６ａ，６ｂは、点検口蓋６の成形時に一体成形されるものである。
上部のボス部６ａには、差込部材１２がビス１０で固定されており、下方側の左右のボス部６ｂ，６ｂには、掛止部材９がビス１０，１０でそれぞれ固定されている。
【００１０】
この掛止部材９と前記ボス部６ｂにより、掛止部８が構成されており、図３には、その拡大分解図を示す。
前記掛止部材９は、上部が平板状の固定片９ａを形成しており、この固定片９ａの下部には、傾斜状にガイドバネ片９ｂが一体形成されており、固定片９ａにはビス１０を通すためのビス孔９ｃ，９ｃが貫通形成されている。
ビス１０，１０をネジ孔９ｃ，９ｃに通し、ビス１０，１０をボス部６ｂ，６ｂに螺合させて、強固にボス部６ｂ，６ｂに掛止部材９を取り付けることができるものであり、ボス部６ｂは、ビス１０の長さよりも大なる突出寸法に形成されて、ビス１０が点検口蓋６の表側へ突出しないように設定されている。
従って、掛止部材９が固定された状態では、点検口蓋６の裏面と掛止部材９のガイドバネ片間には、相当の隙間が形成されることとなり、この隙間内に、前記点検口５に突出形成された突起７を挟み込むことができるように構成されている。
【００１１】
一方、前記挟持部材１１と差込部材１２は、図４に拡大して示すように構成されている。
即ち、挟持部材１１は、ビス１０で点検口５の上端に固定される固定片１１ａの下端側から、裏側へ湾曲して湾曲バネ片１１ｂが一体形成され、湾曲バネ片１１ｂの先端には、上方へ山状に突出して係合部１１ｃが形成され、係合部１１ｃから、下傾状にガイド片１１ｄが一体形成されたものとなっており、固定片１１ａの下端と係合部１１ｃの上端が平行状を成して、スリット状の隙間が形成されるように構成されている。
また、点検口蓋６側に取り付けられる差込部材１２は、ビス１０で点検口蓋６のボス部６ａに固定される固定片１２ａの上端に、表側にコの字状に折り曲げて折曲部１２ｂが一体形成され、折曲部１２ｂの上端から、裏側に向かって水平状に突出する差込片１２ｃが一体形成され、この差込片１２ｃには、横方向に長い係合孔１２ｄが上下に貫通形成されている。この係合孔１２ｄは、前記挟持部材１１の係合部１１ｃが下方側から嵌まり込む長さ寸法に設定されている。
【００１２】
図５の断面図で示すように、開口された点検口５の上端には、ビス１０を介し挟持部材１１を固定しておき、点検口蓋６の裏側には、差込部材１２と、一対の掛止部材９，９をそれぞれビスで固定しておき、先ず、点検口蓋６の下部部位の掛止部８，８を、点検口５の下部に突出された突起７に落とし込み状に掛止させる。
即ち、本例では、掛止部８は掛止部材９で構成されて、掛止部材９の下端のガイドバネ片９ｂは傾斜状に形成されており、このカイドバネ片９ｂを突起７の奥側へ配置させて、点検口蓋６を下方側へ落とし込むことにより、良好に突起７はガイドバネ片９ｂにガイドされて、点検口蓋６の裏側と掛止部材９間に挟み込まれることとなり、ガイドバネ片９ｂのバネ力により良好に突起７を押圧して、バネ力によりガタつきを生ずることなく、突起７を点検口蓋６の内側と掛止部材９間に挟み付けることができ、この時に、図６の横方向断面図で示すように、突起７の先端の拡径部７ａが、点検口蓋６の裏面に当接されるように設計されており、これにより、点検口蓋６の奥側への移動が止められて、点検口蓋６は良好に点検口５の表面と面一状に取り付けられるように設定されている。
【００１３】
このようにして、点検口蓋６の下部部位の掛止部材９，９を、それぞれ左右の突起７，７に掛止させた状態で、突起７を支点（軸）として、点検口蓋６の上部部位を点検口５側へ回転させてゆくと、点検口５側の挟持部材１１の固定片１１ａの下端と、係合部１１ｃの上端間の隙間に、差込部材１２の差込片１２ｃが整合されて、その状態で、点検口蓋６の上端側を点検口５側へ押圧することにより、挟持部材１１の湾曲バネ片１１ｂ内に、差込部材１２の差込片１２ｃが差し込まれてゆき、湾曲バネ片１１ｂのバネ力で強固に差込片１２ｃが挟持された状態となり、差込片１２ｃが湾曲バネ片１１ｂ内に完全に差し込まれた時に、差込部材１２の係合孔１２ｄ内に、バネ力により挟持部材１１の係合部１１ｃがカチッと音を発して係合されるように設定されている。
本例においては、点検口５の手前側に障害物があった場合にも、点検口５の突起７に掛止部８を落とし込み状に掛止して、その後に、点検口蓋６の上部を点検口５側へ回転させて、容易に点検口蓋６を取り付けることができ、障害物がある場合にも、取り付け，取り外し作業を良好に行えるものとなる。
【００１４】
従って、点検口蓋６は下部部位及び上部部位が固定状態となって、強固な取付状態を維持することができ、また、挟持部材１１及び差込部材１２、及び掛止部材９，９は、点検口蓋６の裏側に隠蔽された状態となり、極めてスッキリとした点検口蓋６の取付状態が得られ、ビス１０等が露出することもないために、取付状態の意匠性が向上するものとなる。
また、掛止部材９のガイドバネ片９ｂのバネ力、及び点検口蓋６の裏面が拡径部７ａに当接することにより、ガタつきが生ずることがなく、ガタつきの生じない良好な取付状態が得られるものとなる。
なお、挟持部材１１，差込部材１２及び掛止部材９，９は、ビス１０でそれぞれボス部６ａ，６ｂに固定されているため、接着した場合等に比べて強固な固定状態が得られて、これらの部材が外れることもない。
【００１５】
次に、図７は点検口蓋６の変更例の一部を拡大して示すものであり、点検口蓋６は、左右に後方側へ折り曲げた側面壁６ｃ，６ｃを有しており、この側面壁６ｃ，６ｃの下部部位には、掛止部８，８がそれぞれ形成されており、図７では掛止部８は、それぞれの側面壁６ｃの裏側に開口する略水平状の入口溝６ｄと、この入口溝６ｄから、上方側へ傾斜状に傾斜して形成された上傾溝６ｅで構成されており、このような掛止部８を予め点検口蓋６に形成させておけば、点検口蓋６の下部部位の入口溝６ｄを、点検口５側に突出された突起７に整合させて、その状態で、点検口５側へ点検口蓋６を押し付けることにより、突起７が入口溝６ｄから上傾溝６ｅ内に侵入し、その状態で、点検口蓋６を下方側へ落とし込むことにより、良好に突起７は上傾溝６ｅの上端に係合状態となり、この状態では、突起７を支点として点検口蓋６の上端側を点検口５側へ回転させることができ、前述した如く、挟持部材１１と差込部材１２を係合させて、上部部位を固定することができ、本例においても、点検口５の手前側に障害物があった場合にも、点検口５の突起７に掛止部８を落とし込み状に掛止して、その後に、点検口蓋６の上部を点検口５側へ回転させて、容易に点検口蓋６を取り付けることができ、障害物がある場合にも、取り付け，取り外し作業を良好に行えるものとなる。
【００１６】
なお、図８に示すものは、浴槽２に設けられたエプロン１４のコーナー部に点検口１５が存在するタイプを示しており、このようなコーナー部の点検口１５に対しては、Ｌ字状に形成した点検口蓋１６を着脱可能に取り付けることができるものであり、前記図２に示した部材、即ち、挟持部材１１と差込部材１２を、それぞれ点検口１５側及び点検口蓋１６の裏側にビスで固定しておき、一方、点検口１５の下部には、先端に拡径部７ａを有する突起７を内側へ突出させておき、点検口蓋１６側の下部部位には、ビスを介して掛止部材９を取り付けておけば、この掛止部材９を、先ず、点検口１５の突起７に落とし込み状に掛止させて、その状態で、突起７を支点として、点検口蓋１６の上部を点検口１５側へ回転させて、挟持部材１１に差込部材１２を係合させ、良好にエプロン１４のコーナーに点検口蓋１６を着脱可能に取り付けることができるものとなり、手前に障害物がある場合にも、良好に点検口蓋１６の取り付け，取り外しが可能となり、点検口蓋１６の取付状態では、掛止部材９，挟持部材１１，差込部材１２等が全て隠蔽されて、極めてスッキリとした取付状態が得られ、意匠性が向上されるものである。
【００１７】
【発明の効果】
本発明は、浴室内に開口された点検口に着脱可能に点検口蓋を取り付ける取付構造であって、点検口内の下部部位には、内側へ突出する突起を設けるとともに、点検口蓋の下部部位には、突起に対し落とし込み状に掛止可能な掛止部を設け、突起に掛止部を掛止させた状態で、突起を支点として、点検口蓋の上部を点検口側へ回動させて係合固定できるように構成したことにより、点検口蓋の下部部位を上方から落とし込み状に差し込む構造であるため、点検口の前方に障害物があっても、良好に点検口蓋の着脱が可能となり、取り付け，取り外し作業が容易なものとなる。
【００１８】
また、点検口の上部部位には、弾性を有する挟持部材を設けるとともに、点検口蓋の上部部位には、挟持部材に着脱可能に挟持される差込部材を設け、差込部材には、挟持部材に挟持された状態で、挟持部材の一部が係合する係合孔が形成されていることにより、点検口側に固定された挟持部材に対し、点検口蓋の裏側に取り付けた差込部材を差し込み状に係合させ、最後には係合孔に係合させて、点検口蓋の上部を確実に点検口に固定することができるものとなり、点検口蓋の着脱が容易となり、また挟持部材及び差込部材は、点検口蓋の裏側に隠蔽状態となるため、点検口蓋の取付状態では表側に露出するものがなく、極めてスッキリとした意匠性に優れた取付構造となる。
【００１９】
また、掛止部が、点検口蓋の裏側に取り付けられた弾性を有する掛止部材で構成されていることにより、点検口の前方や後方に障害物があっても、掛止部材のバネ力で良好に点検口の突起に差し込むことができ、また掛止部材のバネ力で点検口蓋の取付状態のガタつきを防ぐことができるものとなる。
【００２０】
また、突起の先端に拡径部を形成し、拡径部が点検口蓋の裏面に当接して、点検口蓋の点検口奥側への移動を止めるように構成したことにより、点検口蓋が取付状態で点検口の奥側に移動することがなく、点検口蓋の撓みを良好に防いで、ガタつきのない取付状態が得られる効果を有する。
【００２１】
また、掛止部，挟持部材，差込部材は、点検口または点検口蓋にボス部を設け、ボス部にビスで固定されることにより、接着等の固定方法よりも、容易で強固に部材を取り付けることができるものとなる。
【図面の簡単な説明】
【図１】浴室内に開口された点検口周辺の要部斜視構成図である。
【図２】点検口と点検口蓋の裏側を示す分解斜視構成図である。
【図３】点検口蓋の裏側に取り付けられる掛止部材の斜視構成図である。
【図４】点検口蓋の上部に取り付けられる差込部材と、点検口側に取り付けられる挟持部材の分解斜視構成図である。
【図５】点検口蓋の取り付け前の縦断面構成図である。
【図６】点検口蓋を点検口に取り付けた状態の横方向断面図である。
【図７】点検口蓋の変更例を示す要部拡大斜視構成図である。
【図８】エプロンのコーナー部に点検口が存在するタイプの浴槽と、点検口蓋の分解斜視図である。
【符号の説明】
１    浴室
２    浴槽
５    点検口
６    点検口蓋
６ａ，６ｂ  ボス部
６ｄ  入口溝
６ｅ  上傾溝
７    突起
７ａ    拡径部
８    掛止部
９    掛止部材
９ａ    固定片
９ｂ    ガイドバネ片
９ｃ    ビス孔
１０    ビス
１１    挟持部材
１１ａ    固定片
１１ｂ    湾曲バネ片
１１ｃ    係合部
１１ｄ    ガイド片
１２    差込部材
１２ａ    固定片
１２ｂ    折曲部
１２ｃ    差込片
１２ｄ    係合孔
１４    エプロン
１５    点検口
１６    点検口蓋
【図１】
2004150215.tif 000003
【図２】
2004150215.tif 000004
【図３】
2004150215.tif 000005
【図４】
2004150215.tif 000006
【図５】
2004150215.tif 000007
【図６】
2004150215.tif 000008
【図７】
2004150215.tif 000009
【図８】
2004150215.tif 000010